(57)【要約】乾燥後、急速な再水和を可能にする、バイオセンサーストリップのための試薬組成物が開示される。組成物は、多孔性粒子を含み、好ましくは、コロイド懸濁液として形成されている。多孔性粒子を含む乾燥試薬組成物は、中実粒子を使用する乾燥試薬組成物から観測されるよりも短い期間で、センサーストリップからの分析的に有用な出力を提供することができる。多孔性粒子組成物からの出力信号は、約２秒以内に、試料の分析対象物濃度に相関させることができる。このようにして、従来の組成物を含むセンサーストリップから得る場合よりも少ない時間で試料中の分析対象物濃度の正確な濃度測定を得ることができる。多孔性粒子を含む試薬組成物はまた、試薬と分析対象物との間のレドックス反応が、従来のセンサーストリップから観測されるよりも短い期間で最大動的性能に達することを可能にする。
2011506969.tif 000002
【特許請求の範囲】
【請求項１】
試料中の分析対象物の濃度を測定するための試薬組成物であって、
０．０５マイクロメートル〜１０マイクロメートルの平均直径及び少なくとも２０％（v/v）の気孔率を有する多孔性粒子の約２０％〜約５０％（w/w）懸濁液約１％〜約３０％（w/w）、
少なくとも一つのポリマー材料約０．１％〜約１０％（w/w）、及び
試薬組成物１マイクロリットルあたり少なくとも一つの酵素系約０．１活性単位〜約１０活性単位
を含む組成物。
【請求項２】
少なくとも一つのメディエーター約０．５％〜約１０％（w/w）をさらに含む、請求項１記載の組成物。
【請求項３】
少なくとも一つの界面活性剤約０．０１％〜約１％（w/w）をさらに含む、請求項１記載の組成物。
【請求項４】
前記多孔性粒子が、１グラムあたり約０．５〜約１ミリリットルの平均気孔容積を有する、請求項１記載の組成物。
【請求項５】
前記多孔性粒子が、１グラムあたり約１００〜約２００m2の平均表面積を有する、請求項１記載の組成物。
【請求項６】
前記多孔性粒子が、シリカから形成され、水中でアニオン性表面電荷を有する、請求項１記載の組成物。
【請求項７】
約４．５〜約７．５のpHを有する、請求項１記載の組成物。
【請求項８】
少なくとも一つのキャリヤ液をさらに含み、コロイド懸濁液である、請求項１記載の組成物。
【請求項９】
前記コロイド懸濁液が凝集に対して安定化されている、請求項８記載の組成物。
【請求項１０】
少なくとも一つの導体、ならびに
前記導体上に配置された少なくとも一つの試薬組成物であって、
０．０５マイクロメートル〜１０マイクロメートルの平均直径及び少なくとも２０％（v/v）の気孔率を有する多孔性粒子、
少なくとも一つのメディエーター約０．５％〜約１０％（w/w）、
少なくとも一つのポリマー材料、及び
少なくとも一つの酵素系
を含む少なくとも一つの試薬組成物
を含む、バイオセンサーのための電極。
【請求項１１】
前記試薬組成物が、前記試薬組成物のコロイド懸濁液から水を乾燥させることから形成される、請求項１０記載の電極。
【請求項１２】
前記試薬組成物が、少なくとも一つの界面活性剤約０．０１％〜約１％（w/w）をさらに含む、請求項１０記載の電極。
【請求項１３】
前記多孔性粒子が、１グラムあたり約０．５〜約１ミリリットルの平均気孔容積を有する、請求項１０記載の電極。
【請求項１４】
前記多孔性粒子が、１グラムあたり約１００〜約２００m2の平均表面積を有する、請求項１０記載の電極。
【請求項１５】
試料中の分析対象物の濃度を測定するためのバイオセンサーストリップであって、
蓋によって少なくとも部分的に覆われたセンサーベース；
前記センサーベースによって形成された、前記ベース上に配置された少なくとも二つの導体を包囲する少なくとも一つの貯留部；
作用電極を形成するための、前記導体の少なくとも一つの上の少なくとも一つの試薬組成物であって、
前記少なくとも一つの試薬組成物１マイクロリットルあたり少なくとも一つの酵素系約０．１活性単位〜約１０活性単位、
少なくとも一つのメディエーター約０．５％〜約１０％（w/w）、及び
少なくとも一つのポリマー材料
を含む少なくとも一つの試薬組成物
を含み、前記貯留部及び前記少なくとも一つの試薬組成物が、試料をセンサーストリップに導入してから約３秒以内に分析対象物と前記少なくとも一つの試薬組成物とのレドックス反応の最大動的性能を提供し、
前記最大動的性能が、少なくとも５個のデューティーサイクルを有するゲート制御電流滴定パルスシーケンスによって測定され、
前記デューティーサイクルの各励起が継続時間０．４秒であり、
前記デューティーサイクルの各緩和が継続時間１秒であり、
前記緩和が開回路によって提供され、
各励起中に少なくとも三つの出力電流値が計測され、
前記励起が２５０mVの実質的に一定の電位を有し、
試料温度が２３℃であるストリップ。
【請求項１６】
前記試薬組成物が、少なくとも一つの界面活性剤約０．０１％〜約１％（w/w）をさらに含む、請求項１５記載のストリップ。
【請求項１７】
前記試薬組成物が、０．０５マイクロメートル〜１０マイクロメートルの平均直径及び少なくとも２０％（v/v）の気孔率を有する多孔性粒子をさらに含む、請求項１５記載のストリップ。
【請求項１８】
前記多孔性粒子が、１グラムあたり約０．５〜約１ミリリットルの平均気孔容積を有する、請求項１７記載のストリップ。
【請求項１９】
前記多孔性粒子が、１グラムあたり約１００〜約２００m2の平均表面積を有する、請求項１７記載のストリップ。
【請求項２０】
前記分析対象物と前記少なくとも一つの試薬組成物とのレドックス反応の最大動的性能が、前記試料を前記センサーストリップに導入してから約２〜約２．５秒以内に提供される、請求項１５記載のストリップ。
【請求項２１】
前記最大動的性能が、減衰する電流値を有する励起から得られる初期電流値が前記少なくとも５個のデューティーサイクルから得られる最大初期電流値であるときに到達される、請求項１５記載のストリップ。
【請求項２２】
前記最大動的性能が、減衰する電流値を有する励起から得られる時系列中最後の電流値が前記少なくとも５個のデューティーサイクルから得られる最大の時系列中最後の電流値であるときに到達される、請求項１５記載のストリップ。
【請求項２３】
前記最大動的性能が、減衰する電流値を有する励起から得られる初期電流値が前記少なくとも５個のデューティーサイクルから得られる最大初期電流値であるときから、その同じ励起から得られる時系列中最後の電流値が前記少なくとも５個のデューティーサイクルから得られる最大の時系列中最後の電流値であるときまでの期間中に到達される、請求項１５記載のストリップ。
【請求項２４】
前記分析対象物がグルコースを含み、前記試料が全血を含み、前記試料中１００mg/dL〜３００mg/dLのグルコース濃度の場合、レドックス反応の最大動的性能が、前記試料を前記センサーストリップに導入するのと実質的に同じ時間内に起こる、請求項１５記載のストリップ。
【請求項２５】
試料中の分析対象物の濃度を測定するためのバイオセンサーシステムであって、
少なくとも二つの導体を支持するための支持手段、
分析対象物に対してレドックス反応を選択的に実施するための、少なくとも一つのポリマー材料を含む反応手段、
前記分析対象物のレドックス反応の速度を計測するための、少なくとも二つの導体を含む計測手段
を含み、前記計測手段が、試料を前記反応手段に導入してから約３秒以内に最大動的性能におけるレドックス反応の速度を計測し、
前記最大動的性能が、少なくとも５個のデューティーサイクルを有するゲート制御電流滴定パルスシーケンスによって測定され、
前記デューティーサイクルの各励起が継続時間０．４秒であり、
前記デューティーサイクルの各緩和が継続時間１秒であり、
前記緩和が開回路によって提供され、
各励起中に少なくとも三つの出力電流値が計測され、
前記励起が２５０mVの実質的に一定の電位を有し、
試料温度が２３℃であるシステム。
【請求項２６】
前記反応手段が、１マイクロリットルあたり少なくとも一つの酵素系約０．１活性単位〜約１０活性単位を含む、請求項２５記載のシステム。
【請求項２７】
前記反応手段が、少なくとも一つのメディエーター約０．５％〜約１０％（w/w）を含む、請求項２６記載のシステム。
【請求項２８】
前記反応手段が、少なくとも一つの界面活性剤約０．０１％〜約１％（w/w）をさらに含む、請求項２５記載のシステム。
【請求項２９】
前記反応手段が、０．０５マイクロメートル〜１０マイクロメートルの平均直径及び少なくとも２０％（v/v）の気孔率を有する多孔性粒子をさらに含む、請求項２５記載のシステム。
【請求項３０】
前記多孔性粒子が、１グラムあたり約０．５〜約１ミリリットルの平均気孔容積を有する、請求項２９記載のシステム。
【請求項３１】
前記多孔性粒子が、１グラムあたり約１００〜約２００m2の平均表面積を有する、請求項２９記載のシステム。
【請求項３２】
前記最大動的性能におけるレドックス反応の速度が、前記試料を前記反応手段に導入してから約２〜約２．５秒以内に計測される、請求項２５記載のシステム。
【請求項３３】
前記最大動的性能が、減衰する電流値を有する励起から得られる初期電流値が前記少なくとも５個のデューティーサイクルから得られる最大初期電流値であるときに到達される、請求項２５記載のシステム。
【請求項３４】
前記最大動的性能が、減衰する電流値を有する励起から得られる時系列中最後の電流値が前記少なくとも５個のデューティーサイクルから得られる最大の時系列中最後の電流値であるときに到達される、請求項２５記載のシステム。
【請求項３５】
前記最大動的性能が、減衰する電流値を有する励起から得られる初期電流が前記少なくとも５個のデューティーサイクルから得られる最大初期電流値であるときから、その同じ励起から得られる時系列中最後の電流値が前記少なくとも５個のデューティーサイクルから得られる最大の時系列中最後の電流値であるときまでの期間中に到達される、請求項２５記載のシステム。
【請求項３６】
前記分析対象物がグルコースを含み、前記試料が全血を含み、前記試料中１００mg/dL〜３００mg/dLのグルコース濃度の場合、前記計測手段が、前記試料を前記反応手段に導入するのと実質的に同じ時間内にレドックス反応の最大動的性能を計測する、請求項２５記載のシステム。
【請求項３７】
試料中の分析対象物の濃度を測定する方法であって、
０．０５マイクロメートル〜１０マイクロメートルの平均直径及び少なくとも２０％（v/v）の気孔率を有する多孔性粒子ならびに少なくとも一つのポリマー材料
を含む試薬組成物に、少なくとも一つの分析対象物を含む水性試料を導入すること、
前記水性試料で前記試薬組成物を再水和させること、
前記水性試料に入力信号を印加すること、
前記水性試料を前記試薬組成物に導入してから約０．４〜約５秒以内に少なくとも一つの出力信号電流値を計測すること、及び
前記少なくとも一つの出力信号電流値から前記水性試料中の前記少なくとも一つの分析対象物の濃度を測定すること
を含む方法。
【請求項３８】
前記水性試料を前記試薬組成物に導入してから約１．７〜約２．７秒以内に前記少なくとも一つの出力信号電流値を計測することを含む、請求項３７記載の方法。
【請求項３９】
前記分析対象物がグルコースを含み、前記水性試料が全血を含み、前記少なくとも二つの出力信号電流値が、約５０mg/dL〜約５５０mg/dLの試料グルコース濃度で測定され、前記少なくとも二つの出力信号電流値が、参照グルコース濃度値と相関させられたとき、少なくとも０．９０のＲ2線形値を有する、請求項３７記載の方法。
【請求項４０】
前記試薬組成物と前記少なくとも一つの分析対象物との間のレドックス反応の最大動的性能の間に前記少なくとも一つの出力信号電流値を計測することをさらに含み、前記最大動的性能が、少なくとも５個のデューティーサイクルを有するゲート制御電流滴定パルスシーケンスによって測定され、
前記デューティーサイクルの各励起が継続時間０．４秒であり、
前記デューティーサイクルの各緩和が継続時間１秒であり、
前記緩和が開回路によって提供され、
各励起中に少なくとも三つの出力電流値が計測され、
前記励起が２５０mVの実質的に一定の電位を有し、
試料温度が２３℃である、請求項３７記載の方法。
【請求項４１】
前記水性試料を前記試薬組成物に導入してから約１．７〜約２．７秒以内に前記少なくとも一つの出力信号電流値を計測することを含む、請求項４０記載の方法。
【請求項４２】
電流減衰中に前記少なくとも一つの出力信号電流値を計測することをさらに含む、請求項４０記載の方法。
【請求項４３】
前記試薬組成物が、少なくとも一つのメディエーター及び少なくとも一つの酵素系をさらに含む、請求項３７記載の方法。
【請求項４４】
前記多孔性粒子が、１グラムあたり約０．５〜約１ミリリットルの平均気孔容積を有する、請求項３７記載の方法。
【請求項４５】
前記多孔性粒子が、１グラムあたり約１００〜約２００m2の平均表面積を有する、請求項３７記載の方法。
【請求項４６】
長くても５秒以内に前記少なくとも一つの分析対象物の測定濃度を表示装置に出力することをさらに含む、請求項３７記載の方法。
【請求項４７】
長くても３秒以内に前記少なくとも一つの分析対象物の測定濃度を表示装置に出力することをさらに含む、請求項３７記載の方法。
【請求項４８】
本明細書に開示された各新規な特徴。
【発明の詳細な説明】
【技術分野】
【０００１】
関連出願の参照
本出願は、参照により本明細書に組み込まれる、２００７年１２月１０日出願の「Porous Particle Reagent Compositions, Devices, and Methods for Biosensors」と題する米国特許仮出願第61/012,739号の利益を主張する。
【０００２】
背景技術
バイオセンサーは、生物学的流体、たとえば全血、血清、血漿、尿、唾液、間質液又は細胞内液の分析を提供する。典型的には、バイオセンサーは、センサーストリップ中に存在する試料を分析する計測装置を有する。試料は通常、液体形態にあり、生物学的流体であることに加え、生物学的流体の派生物、たとえば抽出物、希釈物、ろ液又は再構成沈殿物であることができる。バイオセンサーによって実施される分析は、生物学的流体中の一つ以上の分析対象物、たとえばアルコール、グルコース、尿酸、ラクテート、コレステロール、ビリルビン、遊離脂肪酸、トリグリセリド、タンパク、ケトン体、フェニルアラニン又は酵素の存在及び／又は濃度を測定する。分析は、生理学的異常の診断及び治療に有用であることができる。たとえば、糖尿病の個人は、食事及び／又は投薬の調節のために、バイオセンサーを使用して全血中のグルコース値を測定することができる。
【０００３】
バイオセンサーは、一つ以上の分析対象物を分析するように設計されることができ、異なる試料量を使用することができる。一部のバイオセンサーは、一滴、たとえば０．２５〜１５マイクロリットル（μL）量の全血を分析することができる。バイオセンサーは、ベンチトップ、ポータブル及び類似の計測装置を使用して具現化することができる。ポータブル装置は、手持ち型であることができ、試料中の一つ以上の分析対象物の同定及び／又は定量を可能にする。ポータブル計測装置の例は、Bayer HealthCare（Tarrytown, New York）のAscensia Breeze（登録商標）及びElite（登録商標）計器を含み、ベンチトップ計測装置の例は、CH Instruments（Austin, Texas）から市販されているエレクトロケミカルワークステーションを含む。所望の確度及び／又は精度を供給しながらも、より短い分析時間を提供するバイオセンサーは、実質的な恩恵をユーザに与える。
【０００４】
電気化学的バイオセンサーにおいて、分析対象物濃度は、入力信号が試料に印加されたとき、分析対象物又は分析対象物に応答する種の酸化／還元又はレドックス反応によって生成される電気信号から測定される。入力信号は、一つ又は複数のパルス、シーケンス又はサイクルとして印加することができる。オキシドレダクターゼ、たとえば酵素又は類似種を試料に加えて、レドックス反応中の第一の種から第二の種への電子移送を強化することもできる。酵素又は類似種は一つの分析対象物と反応して、それにより、生成される出力信号の一部分への特異性を提供することができる。
【０００５】
電気化学的バイオセンサーは通常、センサーストリップ中の電気導体と接続する電気接点を有する計測装置を含む。いずれにしても、センサーストリップは、生命体の外側、内側又は部分的に内側での使用に適合させることができる。生命体の外側で使用される場合、生物学的流体の試料がセンサーストリップ中の試料貯留部に導入される。センサーストリップは、分析のために試料を導入する前、導入した後又は導入する間に計測装置中に配置することができる。生命体の内側又は部分的に内側にある場合、センサーストリップを絶えず試料中に浸漬することもできるし、試料を断続的にストリップに導入することもできる。センサーストリップは、試料の一定量を部分的に孤立させる貯留部を含むこともできるし、試料に通じていることもできる。同様に、試料は、ストリップ中を連続的に流れることもできるし、分析のために中断されることもできる。
【０００６】
電気化学的バイオセンサーの場合、導体は、導電性材料、たとえば固体金属、金属ペースト、導電性炭素、導電性炭素ペースト、導電性ポリマーなどから作られることができる。電気導体は典型的には、試料貯留部中に延びる作用電極、対電極、参照電極及び／又は他の電極に接続する。また、一つ以上の電気導体が試料貯留部中に延びて、電極によって提供されない機能性を提供することもできる。
【０００７】
センサーストリップは、米国特許第6,531,040号、第5,798,031号及び第5,120,420号に記載されているものような多数の技術を使用して電極を絶縁基材上に配置又はプリントすることによって形成することができる。電極は、一つ以上の試薬組成物を一つ以上の導体上に配置することによって形成することができる。たとえば作用電極及び対電極が同じ組成物によってコーティングされている場合のように、二つ以上の導体が同じ試薬組成物によってコーティングされることもできる。様々な試薬組成物を導体上に配置することができる。たとえば、作用電極の試薬組成物は、酵素、メディエーター及びバインダを含有することができ、対電極の試薬組成物は、作用電極のメディエーターと同じものでも異なるものでもよいメディエーター及びバインダを含有する。
【０００８】
試薬組成物は、分析対象物の酸化又は還元を促進するための電離剤、たとえばオキシドレダクターゼならびに分析対象物と作用電極との間の電子移送を支援するメディエーター又は他の物質を含むことができる。バインダは、試薬同士を結合させることに加えて、たとえば、赤血球をろ過し、赤血球が導体表面をコーティングすることを防ぎ、オキシドレダクターゼを安定化させるのに役立つことができる。
【０００９】
当業者に公知の多数の技術を使用して、試薬組成物をセンサーストリップ上に配置することができる。試薬組成物は、導体上に配置したのち、乾燥させることができる。試料がセンサーストリップに導入されると、試薬組成物が再水和し始める。試薬組成物の再水和が速ければ速いほど、試料中の分析対象物の濃度を得ることができる出力信号が速くなる。分析対象物の濃度を正確に測定することができる出力信号がセンサーストリップからすぐに得られれば得られるほど、分析をすぐに完了させることができる。このように、より短い分析時間を提供する試薬組成物を含むバイオセンサーは、所望の確度及び／又は精度を供給しながらも、実質的な恩恵をユーザに提供することができる。
【００１０】
概要
乾燥後、急速な再水和を可能にする、バイオセンサーストリップのための試薬組成物が開示される。組成物は、多孔性粒子を含み、好ましくは、コロイド懸濁液として形成されている。乾燥組成物は、中実粒子（solid particle）を使用する乾燥組成物から観測されるよりも短い期間で、センサーストリップからの分析的に有用な出力を提供することができる。多孔性粒子組成物からの出力信号は、約３秒以内、好ましくは約２秒以内に、試料の分析対象物濃度に相関させることができる。
【００１１】
試料中の分析対象物の濃度を測定するための試薬組成物であって、０．０５マイクロメートル〜１０マイクロメートルの平均直径及び少なくとも２０％（v/v）の気孔率を有する多孔性粒子の約２０％〜約５０％（w/w）懸濁液約１％〜約３０％（w/w）、少なくとも一つのポリマー材料約０．１％〜約３％（w/w）、及び試薬組成物１マイクロリットルあたり少なくとも一つの酵素系約０．１活性単位〜約１０活性単位を含む試薬組成物が記載される。
【００１２】
少なくとも一つの導体、ならびに導体上に配置された少なくとも一つの試薬組成物であって、０．０５マイクロメートル〜１０マイクロメートルの平均直径及び少なくとも２０％（v/v）の気孔率を有する多孔性粒子；少なくとも一つのメディエーター約０．５％〜約１０％（w/w）、少なくとも一つのポリマー材料；及び少なくとも一つの酵素系を含む少なくとも一つの試薬組成物を含む、バイオセンサーのための電極が開示される。
【００１３】
試料中の分析対象物の濃度を測定するためのバイオセンサーストリップであって、蓋によって少なくとも部分的に覆われたセンサーベース；センサーベースによって形成された、ベース上に配置された少なくとも二つの導体を包囲する少なくとも一つの貯留部；作用電極を形成するための、導体の少なくとも一つの上の少なくとも一つの試薬組成物であって、少なくとも一つの試薬組成物１マイクロリットルあたり少なくとも一つの酵素系約０．１活性単位〜約１０活性単位；少なくとも一つのメディエーター約０．５％〜約１０％（w/w）；及び少なくとも一つのポリマー材料を含む少なくとも一つの試薬組成物を含み、貯留部及び少なくとも一つの試薬組成物が、試料をセンサーストリップに導入してから約３秒以内に分析対象物と少なくとも一つの試薬組成物とのレドックス反応の最大動的性能を提供し、最大動的性能が、少なくとも５個のデューティーサイクルを有するゲート制御電流滴定パルスシーケンスによって測定され、デューティーサイクルの各励起が継続時間０．４秒であり、デューティーサイクルの各緩和が継続時間１秒であり、緩和が開回路によって提供され、各励起中に少なくとも三つの出力電流値が計測され、励起が２５０mVの実質的に一定の電位を有し、試料温度が２３℃であるストリップが記載される。
【００１４】
試料中の分析対象物の濃度を測定するためのバイオセンサーシステムであって、少なくとも二つの導体を支持するための支持手段；分析対象物に対してレドックス反応を選択的に実施するための、少なくとも一つのポリマー材料を含む反応手段；分析対象物のレドックス反応の速度を計測するための、少なくとも二つの導体を含む計測手段を含み、そして計測手段が、試料を反応手段に導入してから約３秒以内に最大動的性能におけるレドックス反応の速度を計測し、最大動的性能が、少なくとも５個のデューティーサイクルを有するゲート制御電流滴定パルスシーケンスによって測定され、デューティーサイクルの各励起が継続時間０．４秒であり、デューティーサイクルの各緩和が継続時間１秒であり、緩和が開回路によって提供され、各励起中に少なくとも三つの出力電流値が計測され、記励起が２５０mVの実質的に一定の電位を有し、試料温度が２３℃であるシステムが開示される。
【００１５】
試料中の分析対象物の濃度を測定する方法であって、０．０５マイクロメートル〜１０マイクロメートルの平均直径及び少なくとも２０％（v/v）の気孔率を有する多孔性粒子ならびに少なくとも一つのポリマー材料を含む試薬組成物に、少なくとも一つの分析対象物を含む水性試料を導入すること；水性試料で試薬組成物を再水和させること；水性試料に入力信号を印加すること；水性試料を試薬組成物に導入してから約０．４〜約５秒以内に少なくとも一つの出力信号電流値を計測すること；及び少なくとも一つの出力信号電流値から水性試料中の少なくとも一つの分析対象物の濃度を測定することを含む方法が記載される。
【００１６】
以下の図面及び詳細な説明を精査すると、本発明の他のシステム、方法、特徴及び利点が当業者には明らかになるであろう。すべてのそのようなさらなるシステム、方法、特徴及び利点が本明細書に含まれ、本発明の範囲内であり、請求の範囲によって保護されるということが意図される。
【００１７】
以下の図面及び詳細な説明を参照すると、本発明をより良く理解することができる。図面中のコンポーネントは必ずしも原寸に比例せず、本発明の原理を説明することに重点を置いたものである。
【図面の簡単な説明】
【００１８】
【図１Ａ】組み立てられたセンサーストリップの斜視図である。
【図１Ｂ】蓋を取り外した状態のセンサーストリップの平面図である。
【図２】図１Ｂのセンサーストリップの端面図である。
【図３】中実粘土粒子を含む試薬組成物を使用するバイオセンサーストリップからの出力信号を示す。
【図４】多孔性シリカ粒子を含む試薬組成物を使用するバイオセンサーストリップからの出力信号を示す。
【図５】血液試料をストリップに導入してから約２秒以内に多孔性粒子試薬組成物によって提供された実質的に線形の用量応答を示す用量応答プロットである。
【図６】多孔性粒子試薬組成物と接触した試料中の分析対象物の存在及び／又は濃度を測定するための電気化学的分析法を示す。
【図７】ゲート制御電流滴定入力信号を使用して生物学的流体の試料中の分析対象物濃度を測定するバイオセンサーの略図を示す。
【００１９】
詳細な説明
乾燥後、急速な再水和を可能にする、バイオセンサーストリップのための試薬組成物が開示される。組成物は、多孔性粒子を含み、好ましくは、コロイド懸濁液として形成されている。多孔性粒子は、０．０５〜１０マイクロメートルの平均直径、少なくとも２０％（v/v）の気孔率を有し、好ましくはシリカでできている。多孔性粒子を含む乾燥試薬組成物は、中実粒子を使用する乾燥試薬組成物から観測されるよりも短い期間で、センサーストリップからの分析的に有用な出力を提供することができる。多孔性粒子を含む試薬組成物はまた、試薬と分析対象物との間のレドックス反応が、中実粒子を使用する乾燥試薬組成物から観測されるよりも短い期間で最大動的性能に達することを可能にする。
【００２０】
多孔性粒子を含む試薬組成物からの出力信号は、約２秒以内に、試料の分析対象物濃度に相関させることができる。これは、試料の分析対象物濃度との相関のための出力信号を提供するために４秒超を要することもある、試薬組成物中に粘土及び他の中実粒子を使用する従来のセンサーストリップに対して実質的な改善である。
【００２１】
図１Ａ及び１Ｂはセンサーストリップ１００を示す。図１Ａは、ベント１３０を含む蓋１２０によって少なくとも部分的に覆われたセンサーベース１１０、試料付着区域１４０及び入力端開口１５０を含む、組み立てられたセンサーストリップ１００の斜視図である。ベース１１０と蓋１２０との間には部分的に包囲された貯留部１６０が形成されている。他のセンサーストリップ設計を使用してもよい。
【００２２】
分析のための液体試料は、液体を開口１５０に導入することによって貯留部１６０の中に移すことができる。液体は、すでに含まれている空気をベント１３０から押し出しながら貯留部１６０を満たす。貯留部１６０は、液体試料を貯留部中に保持することを支援する保持組成物（図示せず）を収容することができる。保持組成物の例は、水膨潤性ポリマー、たとえばカルボキシメチルセルロース及びポリエチレングリコールならびに多孔性ポリマーマトリックス、たとえばデキストラン及びポリアクリルアミドを含む。
【００２３】
図１Ｂは、蓋１２０を取り外した状態のセンサーストリップ１００の平面図を示す。導体１７０及び１８０が誘電層１９０の下を計測装置インタフェース１５５からそれぞれ作用電極１７５及び対電極１８５へと延びている。作用電極及び対電極１７５、１８５は、図示するように実質的に同じ平面にあってもよいし、異なる平面にあってもよい（図示せず）。作用電極及び対電極１７５、１８５は、蓋１２０の上部から少なくとも１００μm離れていることができる。誘電層１９０は、電極１７５、１８５を部分的に覆うことができ、絶縁ポリマーのような適切な誘電体から作られていることができる。
【００２４】
対電極１８５は、センサーストリップ１００の作用電極１７５における電気化学的活性を支持することができる。作用電極１７５における電気化学的活性を支持するための電位は、炭素のような不活性物質から対電極１８５を形成し、フェリシアン化物メディエーターのような可溶性レドックス種を貯留部１６０内に含めることにより、センサーシステムに提供することができる。対電極１８５における電位は、対電極１８５をＡｇ／ＡｇＣｌのようなレドックス対から形成して複合参照・対電極を提供することによって達成される参照電位であることができる。あるいはまた、第三の導体及び電極（図示せず）をセンサーストリップ１００に設けて、参照電位をセンサーシステムに提供してもよい。
【００２５】
図２は、作用電極１７５及び対電極１８５の層構造を示す、図１Ｂのセンサーストリップの端面図を示す。導体１７０及び１８０はベース１１０上に直接配置されてもよい。場合によっては、表面導体層２７０及び２８０がそれぞれ導体１７０及び１８０の上に配置されてもよい。表面導体層２７０、２８０は、導体１７０、１８０と同じ材料又は異なる材料から作られていることができる。
【００２６】
導体１７０、１８０及び表面導体層２７０、２８０を形成するために使用される材料は、任意の電気導体を含むことができる。好ましい電気導体は、試料の分析中に材料が正味の酸化又は正味の還元を受けないよう、非電離性である。導体１７０、１８０は、好ましくは、金属ペースト又は金属、たとえば金、銀、白金、パラジウム、銅又はタングステンの薄い層を含む。表面導体層２７０、２８０は、好ましくは、炭素、金、白金、パラジウム又はそれらの組み合わせを含む。表面導体層が導体上に存在しないならば、導体は、好ましくは、非電離性材料から作られている。
【００２７】
表面導体材料は、センサーストリップの動作と適合性である従来の手段、たとえば箔付着、化学蒸着、スラリー付着などによって導体１７０、１８０に付着させることができる。スラリー付着の場合、たとえば米国特許第５，７９８，０３１号に記載されているようにして、混合物をインクとして導体１７０、１８０に塗布することもできる。
【００２８】
試薬層２７５及び２８５は、それぞれ導体１７０及び１８０の近く及び／又は上に配置することができる。語「上」は「よりも上」と定義され、記載される向きに関するものである。たとえば、第一の要素が第二の要素の少なくとも一部分の上方に置かれるならば、その第一の要素は第二の要素の「上」にあるといわれる。もう一つの例において、第一の要素が第二の要素の少なくとも一部分よりも上に存在するならば、その第一の要素は第二の要素の「上」にあるといわれる。語「上」の使用は、記載される上要素と下要素との間の物質の存在を排除しない。たとえば、第一の要素がその上面にコーティングを有してもよく、それでもなお、第一の要素及びその上面コーティングの少なくとも一部分の上方の第二の要素は第一の要素の「上」にあると記載されることができる。このように、語「上」の使用は、関連する二つの要素が物理的に接触していることを意味してもよいし、意味しなくてもよい。
【００２９】
試薬層２７５及び２８５は、試薬及びバインダを含む少なくとも一つの試薬組成物から形成される。バインダは、実質的に水不溶性の多孔性粒子及び実質的に水溶性である少なくとも一つのポリマー材料を含む。多孔性粒子は、さらなる物理構造をポリマー材料に提供する。バインダは、試料によって再水和すると、ゲル又はゲル様物質を形成することができる。省略可能な層２９０が導体１７０及び／又は表面導体２７０の上に配置されてもよい。省略可能な層２９０は、試薬層２７５の一つ以上の成分を欠いていてもよい。
【００３０】
試薬層２７５及び２８５は、同じ又は異なる試薬を含むことができる。同じ試薬を含む場合、試薬層２７５及び２８５は同じ層であってもよい。異なる試薬を含む場合、第一の層２７５中に存在する試薬は、作用電極１７５との使用のために選択されることができ、第二の層２８５中に存在する試薬は、対電極１８５との使用のために選択されることができる。たとえば、層２８５中の試薬は、試料と導体１８０との間の電子の自由な流れを促進するためのメディエーターを含むことができる。同様に、層２７５中の試薬は、酵素系及び、場合によっては、分析対象物の反応を促進するためのメディエーターを含むことができる。
【００３１】
試薬層２７５に含まれる酵素系は、分析対象物に特異的であることができ、特に複雑な生物学的試料中の分析対象物に対するセンサーシステムの特異性を増強しながらも、分析対象物の反応を促進することができる。酵素系は、一つ以上の酵素、補因子及び／又は分析対象物とのレドックス反応に関与する他の成分を含むことができる。たとえば、アルコールオキシダーゼを使用して、試料中のアルコールの存在に感度を示すセンサーストリップを提供することができる。このようなシステムは、血中アルコール濃度を計測する場合に有用でありうる。もう一つの例においては、グルコースデヒドロゲナーゼ又はグルコースオキシダーゼを使用して、試料中のグルコースの存在に感度を示すセンサーストリップを提供することができる。このシステムは、たとえば、糖尿病であることが知られる又は疑われる患者における血中グルコース濃度を計測する場合に有用でありうる。
【００３２】
試薬層２７５、２８５は、いかなる便利な手段、たとえばプリント、液付着又はインクジェット付着によっても付着させることができる。塗布される材料の粘度ならびにスクリーンサイズ及びエマルション組み合わせのような要因が、層２７５、２８５の結果的な厚さに影響するおそれがある。薄めの試薬層が好まれる場合、プリント以外の付着法、たとえばマイクロピペット法、インクジェット法又はピン付着法を使用することができる。これらの付着法は一般に、マイクロメートル又はサブマイクロメートル厚さ、たとえば１〜１０μmの厚さを乾燥試薬層に与える。たとえば、ピン付着法は、１μmの平均試薬層厚さを提供することができる。ピン付着から得られる試薬層の厚さは、たとえば、試薬組成物に含まれるポリマー材料及び多孔性粒子の量によって制御することができ、より高いバインダ含量がより厚い試薬層を提供する。
【００３３】
試薬組成物をセンサーストリップ上に付着したのち、乾燥させて試薬層２７５、２８５を形成することができる。乾燥中、多孔性粒子が、懸濁液の成分の間の空間を維持し、組成物が最密構造を形成する傾向を低下させ、それにより、物理特性がスポンジに似た構造を形成すると考えられる。再水和すると、水及び分析対象物、たとえばグルコースが急速に気孔に進入して組成物を再水和させることができる。粒子の気孔は、無孔性材料が使用される場合よりも速やかに水が乾燥組成物の内部領域にアクセスすることを可能にすると考えられる。したがって、物理構造及び乾燥試薬組成物中の成分が、水性試料がセンサーストリップの一つ以上の試薬層を再水和させる速度に影響する。
【００３４】
気孔は、乾燥試薬組成物中に通り道を提供することに加えて、試料が最初に接触する試薬成分の一つ以上の表面積を実質的に増大させることができる。たとえば、メディエーターは、粒子の気孔を通して吸着されることにより、中実粒子の外部で乾燥する場合よりも急速に試料に暴露される。
【００３５】
多孔性粒子を含む乾燥試薬組成物中の通り道及び／又は試薬の暴露表面積の増大が、試薬組成物の試薬が再水和して、試料の分析対象物濃度とで相関するための出力信号を提供する速度を高めることができると考えられる。さらには、多孔性粒子は、試薬組成物成分のいくつかの分離を減らすことにより、センサーストリップの貯蔵寿命を延ばすことができる。この成分分離の減少は、活性酵素系をより良く安定させ、それによって変性を減らすと考えられる。
【００３６】
好ましい試薬組成物は、実質的に不溶性の多孔性粒子、ポリマー材料、緩衝剤、界面活性剤、メディエーター及び酵素系を組み合わせることによって提供することができる。メディエーター及び酵素系の一方又は両方を排除する好ましい試薬組成物を提供することもできる。そして、水を加えると、所望の安定性を有するコロイド懸濁液を形成することができる。試薬組成物は、より少ない成分又はさらなる成分を含むこともできる。
【００３７】
試薬組成物は、好ましくは、多孔性粒子の水中約２０〜約５０％（w/w）懸濁液を約１〜約３０％（w/w）含む。より好ましくは、組成物は、多孔性粒子の水中約２０〜約３５％（w/w）懸濁液を約２〜約１５％含む。現在、特に好ましい試薬組成物は、多孔性粒子の水中約２３〜約２８％（w/w）懸濁液を約４〜約８％含む。好ましくは、多孔性粒子懸濁液とポリマー材料との間で約１：１０（w/w）の比が維持される。他の比を使用して様々な粘度を試薬組成物に提供することもできる。ポリマー材料に対する多孔性粒子の異なる比によって提供されるコロイドの形態の変化は水素結合の作用に起因すると考えられる。
【００３８】
試薬組成物に含めるのに好ましい多孔性粒子は、好ましくは０．０５〜１０マイクロメートル（μm）、より好ましくは０．１〜５μmの平均粒径を有する多孔性粒子を含む。現在、多孔性粒子に関して特に好ましい平均直径は０．１〜０．５μmである。たとえば、現在、０．１〜１μmの平均直径を有する多孔性粒子の混合物であって、その平均直径が０．３μmである混合物が特に好ましいであろう。多孔性粒子は一つ以上の材料から作られる。粒径は、レーザ散乱を使用して、たとえばHoriba Instruments, Inc.（Irvine CA.）から市販されているLA930機器を用いて測定することができる。
【００３９】
好ましくは、試薬組成物に含めるための多孔性粒子は、少なくとも２０％（v/v）、より好ましくは少なくとも４０％（v/v）の気孔率を有する。現在、特に好ましい粒子は、少なくとも６５％（v/v）の気孔率を有する。多孔性粒子の気孔率は、粒子の体積に対する粒子気孔内に保持される体積をたとえばガス吸着（たとえばＢＪＨ窒素ポロシメトリ）又は水銀ポロシメトリによって測定することによって測定することができる。
【００４０】
粒子は、１グラムあたり約０．５〜約１ミリリットル（mL/g）、より好ましくは約０．６５〜約０．８５mL/gの平均気孔容積を有することができる。好ましくは、１グラムあたり少なくとも約０．５立方センチメートル（cc/g）、より好ましくは少なくとも約０．７cc/g又は０．９cc/gの気孔容積が、６００オングストローム（A）以下の孔径を有する気孔からの気孔容積である。これらの粘度から誘導される気孔容積は、たとえば米国特許第６，８４１，６０９号に記載されているようにして測定することができる。現在、特に好ましい多孔性粒子は、その気孔容積の少なくとも８０％が、３００A未満の孔径を有する気孔からの気孔容積である粒子である。多孔性粒子は、１グラムあたり約１００〜約２００平方メートル（m2/g）の平均表面積、より好ましくは約１４０〜約１８０m2/gの平均表面積を有することができる。現在、約１５５〜約１７５m2/gの平均表面積を有する多孔性粒子、たとえばGrace Davison（Columbia, MD）製のシリカ多孔性粒子スラリーSYLOJET 733A（アニオン性）又は733C（カチオン性）が特に好ましい。
【００４１】
多孔性粒子が作られる材料は、水溶液に実質的に不溶性である、付着及び分析と適合性であるいかなる材料であってもよいが、シリカ及びゼオライトのような無機材料から作られた粒子が現在好ましい。シリカが現在より好ましい。多孔性粒子が水性媒体中で電荷を担持することを可能にする材料が好ましい。材料は、負電荷を提供することができるもの、たとえばシリカであってもよいし、正電荷を提供することができるもの、たとえばゼオライトであってもよい。シリカはまた、正電荷、たとえば少なくとも＋２０mV、より好ましくは少なくとも＋４０mVのゼータ電位を提供するように変性されることもできる。好ましくは、平均直径及び多孔性粒子が作られている材料が、粒子を水中に懸濁させたときのコロイドの形成を可能にする。無機材料に加えて、有機、セラミック及び実質的に水に不溶性である他の材料を使用することもできる。
【００４２】
試薬組成物の他の成分、たとえば実質的に水溶性のポリマー、緩衝剤、界面活性剤、水溶性メディエーター及び酵素系とは異なり、多孔性粒子は実質的に水に不溶性である。コロイド懸濁液のような溶液は、可溶化分子と溶媒との間の識別可能な界面を欠く。溶液中では、可溶化分子は溶媒と直接接触するが、コロイド懸濁液中では、キャリヤ液と直接接触するものは粒子の表面である。したがって、キャリヤ液は、コロイドを構成する多孔性粒子を可溶化させない。代わりに、キャリヤ液は粒子を「担持」する。粒子を担持することにより、懸濁液が得られる。
【００４３】
懸濁した多孔性粒子と、それらの粒子が存在するキャリヤ液又は液混合物との間の界面が、試薬組成物を形成するコロイド懸濁液の挙動及び能力の決定において支配的な役割を演じる。コロイド懸濁液は、コロイドを形成する粒子が分離し、解こうしている（たとえば凝結又は凝集していない）ならば、安定であるとみなされる。一般に、コロイド懸濁液に関する語「安定性」とは、時間的な変化に対する懸濁液の耐性に関する。
【００４４】
遠距離引力、たとえばファンデルワールス力が粒子を引き合わせると考えられる。コロイド粒子が引き合わされると、コロイド懸濁液は不安定化する。この不安定化はしばしば凝結又は凝集と呼ばれ、コロイド懸濁液からの凝結粒子の沈殿を生じさせるおそれがある。あるいはまた、クーロン、ステリック及び他の反発性相互作用がコロイド粒子を互いにはじくと考えられる。粒子が凝結することができないならば、コロイド懸濁液の安定性は増し、凝集を減らすことができる。粒子の少なくとも９０％（w/w）が、二つ以上の群に凝結しているのではなく、ばらばらであると認められる場合、コロイド懸濁液は凝集に対して安定である。この決定は、懸濁液を１ppm粒子に希釈し、希釈懸濁液をスライド上に配置し、光学顕微鏡によって観察することによって下される。
【００４５】
好ましくは、試薬組成物は、異なる量の多孔性粒子を水中に有するコロイド懸濁液として形成される。より好ましくは、試薬組成物は、凝集に対して安定化されたコロイド懸濁液として形成される。試薬組成物に望まれる粘度を出すためにコロイド懸濁液を形成するために加えられるべき粒子の好ましい量は、試薬組成物のpHにおける、粒子の性質、キャリヤ液の極性及び粒子によって担持される電荷に依存する。粒子添加の量ならびに他の試薬組成物成分の量及び性質に加えて、粒子が形成される材料を変更して、キャリヤ液に依存しながら、同様な体積量で低め又は高めの安定化を生じさせることもできる。
【００４６】
試薬組成物は、好ましくは、ポリマー材料を約０．１〜約１０％（w/w）、より好ましくは約０．８〜約３％（w/w）含む。現在、特に好ましい試薬組成物は、ポリマー材料を約１〜約１．５％（w/w）含む。バインダとしての使用に適した実質的に水溶性のポリマー材料は、ポリ（エチレンオキシド）（ＰＥＯ）、カルボキシメチルセルロース（ＣＭＣ）、ポリビニルアルコール（ＰＶＡ）、ヒドロキシエチレンセルロース（ＨＥＣ）、ヒドロキシプロピルセルロース（ＨＰＣ）、エチルヒドロキシエチルセルロース、カルボキシメチルエチルセルロース、ポリビニルピロリドン（ＰＶＰ）、ポリアミノ酸、たとえばポリリシン、ポリスチレンスルホネート、ゼラチン、アクリル酸、メタクリル酸、それらのマレイン酸無水物塩、それらの誘導体及びそれらの組み合わせを含むことができる。ポリマー材料は、モノマー、プレポリマー及び繰り返し単位を形成する又は有する他の材料を含む。他のポリマー材料を使用してもよい。
【００４７】
これらのポリマー材料のうち、ＰＥＯ、ＰＶＡ、ＣＭＣ及びＨＥＣが好ましく、ＰＶＡが現在より好ましい。ＰＶＡの場合、約８，０００〜約１，０００，０００の重量平均分子量（Mw）が好ましく、約１５，０００〜約２５０，０００のMwがより好ましい。現在、約３０，０００〜約５０，０００のMwを有するＰＶＡが特に好ましい。
【００４８】
試薬組成物は、好ましくは、界面活性剤を約０．０１〜約１％（w/w）、より好ましくは約０．０１〜約０．５％（w/w）含む。現在、約０．０３〜約０．２％（w/w）の界面活性剤が特に好ましい。界面活性剤は、所望の粘度及び安定性のコロイド懸濁液の形成を支援し、付着法及び分析と適合性である任意の界面活性剤であることができる。現在、糖類系の界面活性剤、たとえばＮ−オクタノイル−Ｎ−メチル−Ｄ−グルカミン（MEGA 8としてDOJINDO、Gaithersburg, MDから市販されている）が好ましい。この界面活性剤は、たとえば、１分子あたり約８個のオキシエチレン単位を含む。他の好ましい界面活性剤は、エトキシレート系の天然界面活性剤、たとえばＰＥＧ−３０テトラメチルデシンジオール界面活性剤（たとえばAir Products, Allentown PAから市販されているSURFYNOL 485）である。センサーストリップの試料充填速度を高める及び／又は酵素系の安定化を支援する界面活性剤が好ましい。
【００４９】
試薬組成物は、好ましくは、コロイド懸濁液のpHを約４．５〜約７．５、より好ましくは約５〜約７に維持するための緩衝剤を含む。試薬組成物に好ましいpH及び緩衝剤は、酵素の活性を維持するように選択することができる。クエン酸系の緩衝剤が現在好ましいが、他のものを使用することもできる。試薬組成物に導入される緩衝剤の濃度は、約１０〜約１００ミリモル（mM）の範囲であることができる。他の濃度を有する緩衝液を使用することもできる。
【００５０】
試薬組成物は、１又は２電子の実質的に水溶性のメディエーターを含むことができる。メディエーターは、それらの電気化学的活性に基づいて二つのグループに分けることができる。１電子移送メディエーターは、電気化学的反応の条件中に１個のさらなる電子を帯びることができる化学成分であり、２電子移送メディエーターは、反応の条件中に２個のさらなる電子を帯びることができる化学成分である。１電子移送メディエーター、たとえばフェリシアン化物が使用される場合、約０．５〜約１０％（w/w）が好ましく、約１．５〜約２．５％（w/w）がより好ましい。１電子移送メディエーターの例は、１，１′−ジメチルフェロセン、フェロシアン化物及びフェリシアン化物ならびにルテニウム（III）及びルテニウム（II）ヘキサアミンのような化合物を含む。
【００５１】
他のメディエーターが使用される場合、１電子移送メディエーターに対して同じモル量のメディエーターの場合で約２倍の数の電子を酵素系から作用電極に移送するその能力のため、２電子移送メディエーターが好ましいことがある。したがって、１電子移送メディエーターに比較して、より少量の２電子移送メディエーターを試薬組成物中に使用するだけでよい。
【００５２】
２電子移送メディエーターの例は、有機キノン類及びヒドロキノン類、たとえばフェナントロリンキノン、フェノチアジン及びフェノキサジン誘導体、３−（フェニルアミノ）−３Ｈ−フェノキサジン類、フェノチアジン類ならびに７−ヒドロキシ−９，９−ジメチル−９Ｈ−アクリジン−２−オン及びその誘導体を含む。好ましい２電子移送メディエーターは、３−フェニルイミノ−３Ｈ−フェノチアジン類（ＰＩＰＴ）及び３−フェニルイミノ−３Ｈ−フェノキサジン類（ＰＩＰＯ）を含む。より好ましい２電子メディエーターは、フェノチアジン誘導体のカルボン酸又は塩、たとえばアンモニウム塩を含む。現在、特に好ましい２電子メディエーターは、（Ｅ）−２−（３Ｈ−フェノチアジン−３−イリデンアミノ）ベンゼン−１，４−ジスルホン酸、（Ｅ）−５−（３Ｈ−フェノチアジン−３−イリデンアミノ）イソフタル酸、アンモニウム（Ｅ）−３−（３Ｈ−フェノチアジン−３−イリデンアミノ）−５−カルボキシベンゾエート及びそれらの組み合わせを含む。さらなる２電子メディエーターの例は、米国特許第５，３９３，６１５号、第５，４９８，５４２号及び第５，５２０，７８６号に記載されている電気的活性有機分子を含む。
【００５３】
試薬組成物はまた、製造者によって指定される、試薬組成物１マイクロリットル（μL）あたり約０．１活性単位〜試薬組成物１μLあたり約１０活性単位、より好ましくは試薬組成物１μLあたり約１活性単位〜試薬組成物１μLあたり約２活性単位の単位活性範囲を有する実質的に水溶性の酵素系を含むことができる。特定の単位活性を提供するために求められる酵素の固体重量は配合バッチ及び製造者によって実質的に異なることができるため、乾燥酵素組成物の比重量に関して製造者によって提供される単位活性を使用して添加量を決定することが好ましい。
【００５４】
試薬組成物の酵素系における使用に好ましい酵素は、アルコールデヒドロゲナーゼ、乳酸デヒドロゲナーゼ、β−ヒドロキシ酪酸デヒドロゲナーゼ、グルコース−６−リン酸デヒドロゲナーゼ、グルコースデヒドロゲナーゼ、ホルムアルデヒドデヒドロゲナーゼ、リンゴ酸デヒドロゲナーゼ及び３−ヒドロキシステロイドデヒドロゲナーゼを含む。好ましい酵素系は非酸素依存的であり、したがって、酸素によって実質的に酸化されない。
【００５５】
一つのそのような非酸素依存的酵素ファミリーがグルコースデヒドロゲナーゼ（ＧＤＨ）である。様々な補酵素又は補因子を使用して、ＧＤＨは、異なるメディエーターによって異なるやり方で媒介されることができる。ＧＤＨとの会合に依存して、ＦＡＤ−ＧＤＨの場合のように、フラビンアデニンジヌクレオチド（ＦＡＤ）のような補因子をホスト酵素によって堅く保持することもできるし、ＰＱＱ−ＧＤＨの場合のように、ピロロキノリンキノン（ＰＱＱ）のような補因子をホスト酵素に共有結合させることもできる。これらの酵素系それぞれにおける補因子は、ホスト酵素によって永久的に保持されることもできるし、酵素系を試薬組成物に加える前に補酵素及びアポ酵素を再構成することもできる。補酵素はまた、ニコチンアミドアデニンジヌクレオチドＮＡＤ／ＮＡＤＨ+又はニコチンアミドアデニンジヌクレオチドホスフェートＮＡＤＰ／ＮＡＤＰＨ+の場合のように、試薬組成物中のホスト酵素成分に独立して加えて、ホスト酵素の触媒機能を支援することもできる。
【００５６】
バイオセンサーストリップのための従来の試薬組成物は、多数のタイプの水不溶性中実粒子を使用して組成物のレオロジー又は粘度を調節した。従来の試薬組成物は、米国特許第５，９５１，８３６号に記載されているように、疎水性及び親水性の両方を提供するように表面を修飾された中実シリカ粒子を使用した。親水性内部及び修飾された疎水性外部を有する中実粒子は、破壊されると、親水性内部を露出させる。これらの中実粒子は、完全であるか破壊されているかにかかわらず、内部容積を粒子に提供する気孔を含み、疎水性エンハンサによる修飾を要しない前記の多孔性粒子とは全く対照的である。
【００５７】
中実粒子とは違って、多孔性粒子は、試薬組成物の小さな水溶性成分が気孔構造に進入することを可能にながらも、より大きな水溶性成分、たとえば酵素及びポリマー材料を排除する。したがって、試薬組成物懸濁液の形成中、水可溶化メディエーターは気孔に進入することができる。乾燥すると、メディエーター、緩衝剤及び界面活性剤は、粒子の気孔中の残ると考えられ、より大きなポリマー材料及び酵素系は、粒子の気孔に対して外に存在する。
【００５８】
酵素及びポリマー材料は一般に、５ナノメートル（nm）を超える範囲の寸法を有し、グルコース及びフェリシアン化物分子は一般に、１nm未満の範囲の寸法を有する。したがって、多孔性粒子の好ましい孔径は約５nm未満である。ポリマー材料及び酵素を少なくとも部分的に排除しながらもメディエーター及び分析対象物を進入させなければならないということに基づき、他の孔径を使用することもできる。
【００５９】
図３は、１００又は４００mg/dLのグルコース濃度を有する血液試料を含むバイオセンサーストリップからの出力信号を示す。センサーストリップの試薬組成物に使用されたバインダは、中実粘土粒子を含むものであった。粘土は、オルガノ／粘土テトラアルキルアンモニウムベントナイト、たとえば、NL Chemicals（Brussels, Belgium）からBENTONE EWとして市販されているものであった。計測装置によってセンサーストリップに入力される信号は、米国特許公開公報２００８／０１７３５５２に記載されているように、四つの緩和によって分けられた五つのパルス励起を含むゲート制御電流滴定パルスシーケンスであった。励起は継続時間約１秒であり、緩和は継続時間約０．５秒であった。各励起中、８個の出力電流値が記録された。
【００６０】
入力信号からの出力電流値を試料の分析対象物濃度と相関させるためには、励起からの初期電流値が、それに続く減衰中の電流値よりも大きいことが好ましい。図３のセンサーストリップからの出力信号は、血液試料がストリップに導入されてから約３秒たつまで、その後に減衰する初期高電流値を示さなかった。したがって、高い初期電流値を有したのち、減衰する電流値が続く最初の出力電流は、４００mg/dL試料の場合には出力電流３１０で観測され、１００mg/dL試料の場合には出力電流３１５で観測された。
【００６１】
また、入力信号からの出力電流値を試料の分析対象物濃度に相関させるためには、異なる試料分析対象物濃度が、出力信号電流値の間で実質的に一定の差を示すことが好ましい。したがって、図３の１００及び４００mg/dLグルコース試料の間の電流差は、４００mg/dL電流値のほうが高い状態で、実質的に同じであることが好ましい。しかし、図３のセンサーストリップからの出力信号は、６〜７秒が経過するまで、１００及び４００mg/dLグルコース濃度血液試料の電流値の間で実質的に一定の差を示さなかった。これは、４００mg/dL試料からの初期電流値（３２０、３３０及び３４０）を１００mg/dL試料からの初期電流値（３２５、３３５及び３４５）と比較したとき見られた。図３から、電流値３３０と３３５との電流差が電流値３２０と３２５との間に認められる電流差よりも大きく、試料の分析対象物濃度に対するこれらの出力電流値の相関が誤差を生じさせるということが立証された。試料をセンサーストリップに導入してから６〜７秒が経過して初めて、出力信号電流値３４０と３４５との間に実質的に一定の差が認められた。
【００６２】
好ましくは、試料の分析対象物濃度と相関される出力電流値はまた、センサーストリップの最大動的性能を反映する電流データを含む減衰からも記録される。出力電流の基礎を成すレドックス反応の速度は多数の要因によって影響される。これらの要因は、試薬組成物が再水和する速度、酵素系が分析対象物と反応する速度、酵素系が電子をメディエーターに移送する速度及びメディエーターが電子を電極に移送する速度を含むことができる。これらの要因及び出力電流に影響する他の運動的要因のうち、試薬組成物が再水和する速度が最大の影響を及ぼすと考えられる。
【００６３】
センサーストリップの最大動的性能は、ゲート制御電流滴定パルスシーケンスの励起中、減衰する電流値を有する励起の初期電流値が、多数の励起に関して得られた最大初期電流値であるときに達することができる。好ましくは、センサーストリップの最大動的性能は、減衰する電流値を有する励起に関して得られた時系列中最後の電流値が、多数の励起に関して得られた最大の時系列中最後の電流値であるときに達する。より好ましくは、センサーストリップの最大動的性能は、減衰する電流値を有する励起の初期電流値が多数の励起に関して得られた最大初期電流値であるときから、その同じ励起に関して得られた時系列中最後の電流値が多数の励起に関して得られた最大の時系列中最後の電流値であるときまでの期間中に達する。
【００６４】
センサーストリップの最大動的性能を測定するために使用されるゲート制御電流滴定パルスシーケンスは、励起が継続時間０．４秒であり、緩和が継続時間１秒であり、試料中のゼロ電流を含み、開回路によって提供される少なくとも５個のデューティーサイクルを含む。各励起中に少なくとも三つの出力電流値が計測される。センサーストリップへの電位入力は２５０mVで実質的に一定に保持され、試料温度は２３℃である。
【００６５】
図３において、中実粘土粒子試薬組成物を使用し、１００mg/dLグルコース試料を含むセンサーストリップの場合、出力電流は、試料をセンサーストリップに導入してから３〜４秒後の出力電流３１５を含む励起減衰中に最大動的性能に到達した。これは、減衰する電流値を有する励起から得られた最大初期電流値及び最大の時系列中最後の電流値の両方が出力電流３１５中に存在したため、立証されたものである。
【００６６】
しかし、グルコース４００mg/dLを含む図３のセンサーストリップの場合、減衰する電流値を有する励起から得られた最大の時系列中最後の電流値は出力電流３１０中の電流値３２１であり、最大初期電流値は、それに続く励起減衰からの電流値３３０であった。したがって、図３の高いほうの４００mg/dLグルコース濃度試料の場合、試料をセンサーストリップに導入してから約４〜約５秒が経過するまで、最大動的性能には達しなかった。減衰する電流値を有する励起からの最大初期電流値が電流値３２０ではなく、その後に観測された電流値３３０であったため、反応は、試料をセンサーストリップに導入してから３秒が経過したあたりまで、最大動的性能に達しなかった。同様に、時系列中最後の電流値３２２が、減衰する電流値を有する励起から観測された最大電流値ではなかったため、反応は、試料をセンサーストリップに導入してから５秒が経過してほどなく、最大動的性能のポイントを通過した。
【００６７】
図３の中実粘土配合物からの出力信号とは対照的に、図４は、以下、実施例１に関して記載するような、多孔性シリカ粒子を含む試薬組成物を使用するバイオセンサーストリップから得られた出力信号を示す。計測装置によってセンサーストリップに入力される信号は、米国特許公開公報２００８／０１７３５５２に記載されているように、七つの緩和によって分けられた八つの励起を含むゲート制御電流滴定パルスシーケンスであった。第二ないし第八の励起は継続時間約０．４秒であり、第二ないし第七の緩和は継続時間約１秒であった。第二ないし第八の励起中、３個の出力電流値が記録された。
【００６８】
６０％（v/v）ヘマトクリットを含む１００及び３００mg/dLグルコース濃度血液試料の間で、出力電流値４１０（３００mg/dL）及び４１５（１００mg/dL）に関して２秒以内に実質的に一定の差が認められ、約３秒以内に試料のグルコース濃度を測定することができた。さらには、試料をセンサーストリップに導入してから約１２５ミリ秒（ms）後に記録された初期電流値は離れており、高いほうの濃度３００mg/dL初期電流値４２０が１００mg/dL初期電流値４２５よりも高かった。また、励起電流値は最初の励起から減少して、図３分析の、最初二つの励起からの出力電流値が増大したところの最初２秒間を実質的に消去した。このように、図４の多孔性粒子試薬組成物からの出力信号は、試料をセンサーストリップに導入してから約２秒が経過したのち、血液試料のグルコース濃度との相関に有用な電流値を提供した。
【００６９】
図４の多孔性粒子を含む試薬組成物から得られた結果はまた、出力信号の最初１秒間に１００及び４００mg/dL出力電流値がほぼ同一であった、図３の中実粒子を含む試薬組成物から得られた結果とは対照的であった。この結果は、試料をセンサーストリップに導入してから約２秒が経過するまで、図３の中実粒子を含む試薬組成物のグルコース分析対象物、酵素系及びメディエーターの間のレドックス反応が実質的な程度には開始しなかったことを示唆する。多孔性粒子試薬組成物のこの高められた性能は、多孔性粒子によって提供される、試料への試薬の高められた利用度に起因すると考えられる。
【００７０】
多孔性粒子試薬組成物を含むセンサーストリップの最大動的性能に関して、図４の出力電流値は、１００及び３００mg/dLグルコース試料の両方に関して、試料をセンサーストリップに導入してから約２〜約２．２秒以内に最大動的性能が得られるということを立証した。これは、電流値４３０が３００mg/dL試料に関して最大初期電流値及び最大最終電流値を含み、電流値４４０が１００mg/dL試料に関して最大初期電流値及び最大最終電流値を含むため、立証されたものである。
【００７１】
図３の中実粘土粒子試薬組成物とは違って、図４の多孔性粒子試薬組成物は、１００及び３００mg/dLグルコース試料の両方に関して、試料導入から実質的に同じ約２〜約２．２秒の期間内に最大動的性能を提供した。したがって、多孔性粒子試薬組成物は、試料導入から約３秒未満で、好ましくは試料導入から約２．５秒未満で、センサーストリップの最大動的性能を可能にした。より好ましくは、試料をセンサーストリップに導入してから約２〜約２．５秒以内に最大動的性能が観測される。多孔性粒子試薬組成物のさらなる利点は、反応の最大動的性能が観測される時間が、図３で観測された中実粘土粒子試薬組成物の場合もそうであったが、試料の分析対象物濃度に実質的に依存しないということである。
【００７２】
図５は、血液試料をセンサーストリップに導入してから約２秒以内に多孔性粒子試薬組成物によって提供される実質的に線形の用量応答を示す用量応答プロットである。血液試料は、同じ血液型の二人の男性及び二人の女性からの血液を、事前に約２３〜２５℃で約２４±２時間インキュベートしたヘパリンナトリウム処理した管の中に採取することによって調製した。インキュベーション後、血液を合わせ、ヘマトクリットレベルを約４１〜４３％に調節した。その後、血液を六つのアリコートに分割し、２０％グルコース原液を使用して、各アリコート中に異なるグルコース濃度を作り出した。
【００７３】
六つのアリコートそれぞれを１０個のセンサーストリップに導入し、１０個のセンサーストリップからの各アリコートの出力電流値を平均化し、図５で、アリコートごとに決定した参照グルコース濃度に対してプロットした。参照濃度値は、参照計器、たとえばYSI Inc.（Yellow Spring, Ohio）から市販されているYSI 2300 STAT PLUS（商標）を用いて得た。センサーストリップは、以下、実施例１に関して記載するように、多孔性シリカ粒子を含む試薬組成物を使用するものであった。計測装置によるセンサーストリップへの信号入力は、図４に関して先に説明したように、ゲート制御電流滴定パルスシーケンスであった。平均化のために選択した出力電流は、約２．１２５、３．５及び５秒での励起中に記録された最初の電流であった。各ラインのＲ2値に見られるように、２．１２５秒で約５０〜約５５０mg/dLのグルコースから得られたグルコース濃度値の直線性は、０．９９９のＲ2値で、異なるグルコース濃度に関して３及び５秒で測定されたグルコース濃度の直線性と実質的に同等であった。
【００７４】
このように、多孔性シリカ粒子を含む試薬組成物を使用するセンサーストリップは、試料をセンサーストリップに導入してから約２．２秒以下の範囲で、試料の分析対象物濃度との相関のための電流値を提供した。試料の分析対象物濃度との相関のための出力電流値を得るための好ましい期間は、試料をセンサーストリップに導入してから約５秒未満、より好ましくは約３秒未満である。現在、試料の分析対象物濃度との相関のための出力電流値は、試料をセンサーストリップに導入してから好ましくは約０．４〜約５秒以内、より好ましくは約１．７秒〜約２．７秒以内に得られる。好ましくは、全血中のグルコース分析の場合、約５０〜約５５０mg/dLのグルコースから測定される濃度値は、少なくとも０．８５、より好ましくは少なくとも０．９０のＲ2相関値を有する。
【００７５】
図６は、多孔性粒子を含む試薬組成物と接触する試料中の分析対象物の存在及び／又は濃度を測定するための電気化学的分析法６００を示す。６１０で、多孔性粒子試薬組成物を含むバイオセンサーに試料を導入する。６２０で、試料中の分析対象物の一部分がレドックス反応を起こす。６３０で、場合によっては電子が分析対象物からメディエーターに移送される。６４０で、計測可能種を入力信号によって電気化学的に励起する。６５０で、出力信号を生成し、計測する。６６０で、試料を緩和させ、１７０で、少なくとも一つのさらなる励起パルスを入力する。６８０で、出力信号から試料の存在及び／又は濃度を測定し、６９０で、濃度を表示、記憶などすることができる。
【００７６】
６１０で、試料を、センサーストリップのようなバイオセンサーのセンサー部分に導入する。センサーストリップは、少なくとも一つの作用電極及び少なくとも一つの対電極を含む。電極は、一つ以上の試薬層を含むことができ、少なくとも一つの試薬層が、多孔性粒子を含む試薬組成物から形成されている。同じ試薬組成物を作用電極及び対電極に使用することもできるし、異なる試薬組成物を使用して電極の動作を促進することもできる。たとえば、作用電極の試薬組成物は、分析対象物、たとえば酵素系とメディエーターとの反応を促進することができ、対電極の試薬組成物は、試料と電極の表面、たとえば還元性種との間の電子の自由な流れを促進することができる。
【００７７】
６２０で、試料中に存在する分析対象物の一部分を、たとえばオキシドレダクターゼによって化学的又は生化学的に酸化又は還元させる。これは、試料が多孔性粒子試薬組成物中の試薬を水和させるときに起こる。酸化又は還元により、６３０で、場合によっては電子が分析対象物とメディエーターとの間で移送されてもよい。このようにして、たとえば分析対象物又はメディエーターから計測可能な電離種が形成する。
【００７８】
６４０で、６２０からの荷電分析対象物であってもよいし、６３０からの荷電メディエーターであってもよい計測可能種を入力信号によって電気化学的に励起（酸化又は還元）する。入力信号は、一定のシーケンスでパルシング又はオン・オフに切り替わる電気信号、たとえば電流又は電位であることができる。入力信号は、緩和によって分けられた励起パルスのシーケンスである。電流滴定パルスの間、励起中に印加される電位は、好ましくは、その期間中、実質的に一定の電圧及び極性で印加される。これは、データ記録中に多数の電圧電位及び／又は極性を通して電圧が変更又は「掃引」される従来の励起とは全く対照的である。
【００７９】
入力信号は一つ以上のパルス間隔を有することができる。パルス間隔は、デューティーサイクルを構成するパルスと緩和との和である。各パルスは振幅及び幅を有する。振幅は、電気信号の電位、電流などの強さを示す。振幅は、たとえば電流滴定中、パルス中に変化することもできるし、実質的に一定であることもできる。パルス幅はパルスの継続時間である。入力信号におけるパルス幅は、変化することもできるし、実質的に同じであることもできる。各緩和は、緩和の継続時間である緩和幅を有する。入力信号における緩和幅は、変化することもできるし、実質的に同じであることもできる。
【００８０】
デューティーサイクルの励起及び緩和の幅を調節することにより、ゲート制御入力信号が分析の確度及び／又は精度を高めることができる。好ましい入力信号は、２、３又は５秒未満の間に印加される少なくとも２、３、４又は８個のデューティーサイクルを含む。より好ましくは、少なくとも２個のデューティーサイクルが３秒以内に印加される。好ましくは、各励起パルスの幅は、０．１〜２秒、より好ましくは０．２〜１秒の間から独立して選択される。現在、特に好ましい入力信号パルス幅は、０．３〜０．８秒の間から独立して選択される。好ましいパルス間隔は、３、２．５又は１．５秒未満の範囲である。現在、０．３〜０．５秒のパルス幅及び０．７〜２秒のパルス間隔を有する入力信号が特に好ましい。入力信号は他のパルス幅及び間隔を有することもできる。
【００８１】
６５０で、バイオセンサーが、計測可能種及び入力信号に応答して出力信号を生成する。出力信号、たとえば一つ以上の電流値は、連続的又は断続的に計測することができ、時間の関数として記録することができる。適切な出力信号は、定常状態に達する信号及び過渡的である信号を含むことができる。定常状態電流値は、時間に対する電流変化が実質的に一定である、たとえば±１０又は±５％以内であるときに観測される。過渡的信号値は時間に関して減衰する。
【００８２】
６６０で、試料が緩和を受ける。計測装置は、センサーストリップを通過する回路を開状態にし、それによって緩和を許す。緩和６６０中、励起６４０中に存在した電流は、実質的に、少なくとも半分、好ましくは一桁分、より好ましくはゼロまで減らされる。好ましくは、ゼロ電流状態は、開回路又は実質的ゼロ電流を提供するための当業者に公知の他の方法によって提供される。好ましくは、緩和６６０中、出力信号は記録されない。
【００８３】
６７０で、バイオセンサーは、所望の期間、入力信号からのパルスを作用電極及び対電極に印加し続ける。励起６４０及び緩和６６０を含むデューティーサイクルを繰り返すこともできるし、異なるパルス幅及び／又は間隔を有するデューティーサイクルを印加することもできる。
【００８４】
６８０で、バイオセンサーは、一つ以上の電流値を試料の分析対象物濃度と相関させることにより、出力信号電流値を分析する。好ましくは、試料の分析対象物濃度と相関させる出力電流値は、６１０で試料をセンサーストリップに導入してから約３秒以内に、初期電流値がそれに続く減衰中の電流値よりも大きい励起から記録される。より好ましくは、試料の分析対象物濃度と相関させる出力電流値は、６１０で試料をセンサーストリップに導入してから約３秒以内に得られ、最初の電流値に続く電流値が低下する励起から記録される最初の電流値である。さらに好ましくは、試料の分析対象物濃度と相関させる出力電流値は、６１０で試料をセンサーストリップに導入してから約３秒以内に得られ、最初の電流値に続く電流値が低下する励起から記録される最初の電流値であり、センサーストリップの最大動的性能の間に得られる。さらなる電流、時間及び／又は他の値を分析してもよい。６９０で、分析対象物濃度値を表示、将来の参照に備えて記録及び／又はさらなる計算のために使用することができる。
【００８５】
図７は、ゲート制御電流滴定入力信号を使用して生物学的流体の試料中の分析対象物濃度を測定するバイオセンサー７００の略図を示す。バイオセンサー７００は、計測装置７０２及びセンサーストリップ７０４を含み、ベンチトップ装置、ポータブル又は手持ち装置などを含む分析計器として具現化されることができる。バイオセンサー７００は、グルコース、尿酸、ラクテート、コレステロール、ビリルビンなどの濃度をはじめとする分析対象物濃度を測定するために利用することができる。特定の構成が示されているが、バイオセンサー７００は、さらなるコンポーネントを有するものを含む他の構成を有することもできる。
【００８６】
センサーストリップ７０４は、貯留部７０８を形成するベース７０６及び開口７１２を有する流路７１０を有する。貯留部７０８及び流路７１０は、ベント付きの蓋によって覆われることもできる。貯留部７０８は、部分的に包囲された容積を画定する。貯留部７０８は、水膨潤性ポリマー又は多孔性ポリマーマトリックスのような、液体試料の保持を支援する組成物を収容することができる。試薬を貯留部７０８及び／又は流路７１０に置くことができる。作用電極７０４を形成するために使用される試薬組成物は、多孔性粒子を含み、一つ以上の酵素系、メディエーター及び類似種を含むことができる。対電極７０５は、同じ又は異なる試薬組成物、好ましくは酵素系を欠く組成物を使用して形成することができる。センサーストリップ７０４はまた、貯留部７０８に隣接して配置された試料インタフェース７１４を有することができる。試料インタフェース７１４は、貯留部７０８を部分的又は完全に包囲することができる。センサーストリップ７０４は、他の構成を有することもできる。
【００８７】
試料インタフェース７１４は、作用電極７０４及び対電極７０５に接続された導体７０９を有する。電極は、実質的に同じ平面にあってもよいし、二つ以上の平面にあってもよい。電極７０４、７０５は、貯留部７０８を形成するベース７０６の表面に配置されることができる。電極７０４、７０５は、貯留部７０８の中に延びる又は突出することができる。誘電層が導体７０９及び／又は電極７０４、７０５を部分的に覆うこともできる。試料インタフェース７１４は他の電極及び導体を有することもできる。
【００８８】
計測装置７０２は、センサーインタフェース７１８及び表示装置７２０に接続された電気回路７１６を含む。電気回路７１６は、信号発生装置７２４、省略可能な温度センサー７２６及び記憶媒体７２８に接続されたプロセッサ７２２を含む。
【００８９】
信号発生装置７２４は、プロセッサ７２２に応答して電気信号入力をセンサーインタフェース７１８に提供する。電気入力信号は、センサーインタフェース７１８によって試料インタフェース７１４に伝送されて電気入力信号を生物学的流体の試料に印加する。電気入力信号は、電位又は電流であることができ、多数のパルス、シーケンス又はサイクルで印加することができる。信号発生装置７２４はまた、発生・記録装置として、センサーインタフェースからの出力信号を記録することもできる。
【００９０】
省略可能な温度センサー７２６は、センサーストリップ７０４の貯留部中の試料の温度を測定する。試料の温度は、出力信号から計測、計算することもできるし、周囲温度又はバイオセンサーシステムを具現化する装置の温度の計測値と同じ又はそれに近いと推測することもできる。温度は、サーミスタ、温度計又は他の温度感知装置を使用して計測することができる。他の技術を使用して試料温度を測定することもできる。
【００９１】
記憶媒体７２８は、磁気、光学又は半導体メモリ、別の記憶装置などであることができる。記憶媒体７２８は、固定メモリ装置、リムーバブルメモリ装置、たとえばメモリカード、遠隔アクセスされるものなどであることができる。
【００９２】
プロセッサ７２２は、記憶媒体７２８に記憶されたコンピュータ読み取り可能ソフトウェアコード及びデータを使用して分析対象物分析及びデータ処理を実施する。プロセッサ７２２は、センサーインタフェース７１８におけるセンサーストリップ７０４の存在、センサーストリップ７０４への試料の塗布、ユーザ入力などに応答して、分析対象物分析を開始することができる。プロセッサ７２２は、信号生成装置７２４に対し、電気入力信号をセンサーインタフェース７１８に提供するよう指示する。プロセッサ７２２は、省略可能な温度センサー７２６から試料温度を受けることができる。プロセッサ７２２は、センサーインタフェース７１８から出力信号を受ける。出力信号は、貯留部７０８中の分析対象物のレドックス反応に応答して生成される。
【００９３】
プロセッサ７２２は、好ましくは、試料をセンサーストリップ７０４に導入してから約３秒以内に出力信号を計測して、初期電流値がそれに続く減衰中の電流値よりも大きい励起から電流値を得る。より好ましくは、プロセッサ７２２は、試料をセンサーストリップ７０４に導入してから約３秒以内に出力信号を計測して電流値を得、第一の電流値に続く電流値が連続的に低下する励起から記録される第一の電流値を得る。さらに好ましくは、プロセッサ７２２は、試料をセンサーストリップ７０４に導入してから約３秒以内に出力信号を計測して電流値を得、第一の電流値に続く電流値が連続的に低下する励起から記録される第一の電流値を得、センサーストリップの最大動的性能中の電流値を得る。
【００９４】
得られた一つ以上の電流値は、プロセッサ７２２中の一つ以上の相関式を使用して試料の分析対象物濃度と相関させる。分析対象物分析の結果は、表示装置７２０に出力することもできるし、記憶媒体７２８に記憶することもできる。好ましくは、分析対象物分析の結果は、試料をセンサーストリップに導入してから悪くとも５秒以内に表示装置７２０に出力され、より好ましくは、結果は、試料をセンサーストリップに導入してから長くても３秒以内に表示装置７２０に出力される。
【００９５】
分析対象物濃度と出力電流値とを関連させる相関式は、グラフ、数式、それらの組み合わせなどによって表すことができる。相関式は、記憶媒体７２８に記憶されているプログラムナンバー（ＰＮＡ）表、別のルックアップ表などによって表すことができる。分析対象物分析の実施に関する命令は、記憶媒体７２８に記憶されたコンピュータ読み取り可能ソフトウェアコードによって提供されることができる。コードは、オブジェクトコードであってもよいし、本明細書に記載される機能性を記述又は制御する他のコードであってもよい。分析対象物分析からのデータは、プロセッサ７２２中での減衰速度、K定数、比率などの決定をはじめとする一つ以上のデータ処理に付すことができる。
【００９６】
センサーインタフェース７１８は、センサーストリップ７０４の試料インタフェース７１４中の導体７０９と接続又は電気的に連絡する接点を有する。センサーインタフェース７１８は、信号発生装置７２４からの電気入力信号を接点を介して試料インタフェース７１４中の導体７０９に送信する。センサーインタフェース７１８はまた、試料からの出力信号を接点を介してプロセッサ７２２及び／又は信号発生装置７２４に送信する。
【００９７】
表示装置７２０はアナログ又はデジタルであることができる。表示装置は、数値読みを表示するように適合されたＬＣＤであってもよい。
【００９８】
使用中、試料を開口７１２に導入することにより、分析のための試料が貯留部７０８に移送される。試料は、流路７１０を通って流れ、すでに含まれている空気を押し出しながら貯留部７０８を満たす。試料は、流路７１０及び／又は貯留部７０８に置かれた試薬とで化学反応する。試料は、好ましくは流体であり、より好ましくは液体である。
【００９９】
センサーストリップ７０２は計測装置７０２に隣接して配置される。隣接とは、試料インタフェース７１４がセンサーインタフェース７１８と電気的に連絡する位置を含む。電気的連絡は、センサーインタフェース７１８中の接点と試料インタフェース７１４中の導体７０９との間の入力及び／又は出力信号の有線的又はワイヤレス転送を含む。
【０１００】
以下の実施例は、本発明の一つ以上の好ましい実施態様を説明するために提供される。本発明の範囲内である数多くの改変を以下の実施例に加えることができる。
【０１０１】
実施例
以下の試薬組成物を形成するために組み合わされる成分を多数の供給源から得た。一般に、ＰＶＡ、クエン酸、Ｋ2ＨＰＯ4、フェリシアン化カリウム及びMEGA 8界面活性剤は、Sigma-Aldrich（St. Louis, MO）から得た。Surfynol 485界面活性剤は、Air Products（Allentown, PA）から得た。酵素系は、天野エンザイム株式会社（名古屋）から得た。多孔性粒子シリカスラリーは、Grace Davison（East Chicago, IN）から得た。
【０１０２】
実施例１：試薬組成物Ｉ
以下の表Ｉの成分を水３８．６７g中に合わせることにより、試薬組成物を調製した。多孔性粒子スラリーは、約２５．３％の多孔性粒子を含み、７．５のpH、混合物中で約４μmの平均粒径（Horiba LA-910によりD99.9）、約０．７４mL/gの１粒子あたり平均気孔容積（Ｎ2吸着）及び約１６３m2/gの１粒子あたり平均表面積（Ｎ2吸着）を有するものであった。実施例２〜９の場合、スラリーは、約２９．９％の多孔性粒子を含み、４のpH、混合物中で約１．２０μmの平均粒径（Horiba LA-910によりD99.9）及び約０．７０mL/gの１粒子あたり平均気孔容積（Ｎ2吸着）を有するものであった
【０１０３】
【表１】
2011506969.tif 000003
【０１０４】
実施例２：試薬組成物II
以下の表IIの成分を水２６．９２g中に合わせることにより、酵素系を欠く試薬組成物を調製した。
【０１０５】
【表２】
2011506969.tif 000004
【０１０６】
実施例３：試薬組成物III
以下の表IIIの成分を水２９．１８g中に合わせることにより、酵素系を欠く試薬組成物を調製した。
【０１０７】
【表３】
2011506969.tif 000005
【０１０８】
実施例４：試薬組成物IV
以下の表IVの成分を水２７．４２g中に合わせることにより、酵素系を欠く試薬組成物を調製した。
【０１０９】
【表４】
2011506969.tif 000006
【０１１０】
実施例５：試薬組成物Ｖ
以下の表Ｖの成分を水２７．３７g中に合わせることにより、酵素系を欠く試薬組成物を調製した。
【０１１１】
【表５】
2011506969.tif 000007
【０１１２】
実施例６：試薬組成物VI
以下の表VIの成分を水２６．３７g中に合わせることにより、酵素系を欠く試薬組成物を調製した。
【０１１３】
【表６】
2011506969.tif 000008
【０１１４】
実施例７：試薬組成物VII
以下の表VIIの成分を水２７．２８g中に合わせることにより、酵素系を欠く試薬組成物を調製した。
【０１１５】
【表７】
2011506969.tif 000009
【０１１６】
実施例８：試薬組成物VIII
以下の表VIIIの成分を水２６．２８g中に合わせることにより、酵素系を欠く試薬組成物を調製した。
【０１１７】
【表８】
2011506969.tif 000010
【０１１８】
実施例９：試薬組成物IX
以下の表IXの成分を水２９．１３g中に合わせることにより、酵素系を欠く試薬組成物を調製した。
【０１１９】
【表９】
2011506969.tif 000011
【０１２０】
本発明の様々な実施態様を記載したが、当業者には、本発明の範囲内で他の実施態様及び具現化が可能であることが明かであろう。したがって、本発明は、請求の範囲及びその均等物に照らして以外、限定されない。
【図１Ａ】
2011506969.tif 000012
【図１Ｂ】
2011506969.tif 000013
【図２】
2011506969.tif 000014
【図３】
2011506969.tif 000015
【図４】
2011506969.tif 000016
【図５】
2011506969.tif 000017
【図６】
2011506969.tif 000018
【図７】
2011506969.tif 000019
【国際調査報告】
2011506969.tif 000020
2011506969.tif 000021
2011506969.tif 000022
2011506969.tif 000023
2011506969.tif 000024